(57)【要約】【課題】装置本体の内部を冷却するために温度の低い冷却水を供給したときに、結露によって生じた水が装置本体内部に流れ込むのを防止する。【解決手段】冷却水を供給するホース４と内部配管１１とを連結するジョイント１２を保持するジョイントホルダ１０の取付板部１０ａを、筐体１の後面板１ａから離し、且つ外方に倒れる方向に傾斜するように取り付ける。これにより、ジョイント１２、ジョイントブロック１３、ナット１４、ジョイントホルダ１０が冷やされることで結露した水が内部配管１１を伝って装置本体側には流れず、取付板部１０ａを伝い流れてその下端から滴下して水受け槽１６に回収される。【選択図】図２
0003119224.tif 000002
【実用新案登録請求の範囲】
【請求項１】
装置本体内部に発熱部を有し、該装置本体外部からホースを通して供給する冷却液により前記発熱部を冷却する分析装置において、
装置外部のホースと装置本体内部に配設される管路とを連結する連結部と、該連結部を保持する保持部と、を備え、前記保持部は装置本体の筐体の立壁面よりも外方に突出して設けられ、且つ、前記保持部による前記連結部の保持個所が該連結部に連結される前記管路が前記立壁面を貫通する個所よりも低い位置とされていることを特徴とする分析装置。
【請求項２】
前記保持部は前記連結部を略直交する方向に保持する板状部を含み、該保持部は前記筐体の立壁面に対し前記板状部が外方に倒れ込む方向に傾斜するように固定されていることを特徴とする請求項１に記載の分析装置。
【請求項３】
前記保持部の下方に液受け槽をさらに備えることを特徴とする請求項１又は２に記載の分析装置。
【考案の詳細な説明】
【技術分野】
【０００１】
本考案は、装置本体内部に発熱部を有し、この発熱部を冷却するために装置本体外部からホースを通して冷却液（冷却水又は冷媒）を供給するようにした分析装置に関する。
【背景技術】
【０００２】
誘導結合プラズマ（Inductively Coupled Plasma：ＩＣＰ）発光分析装置では、ネブライザ等により噴霧した試料液をプラズマトーチ中の高温の高周波プラズマ中に導入して励起発光させ、その発光光を分光器により波長分散させて検出器で検出することにより発光スペクトルを取得し、その発光スペクトルに現れているスペクトル線の波長から試料液に含まれる元素の定性分析を、スペクトル線の強度からその元素の定量分析を行う。
【０００３】
この装置においては、ＩＣＰ光源の温度が非常に高くなるため、分光器や検出器などを熱から保護するために従来より冷却水が使用されている（例えば特許文献１など参照）。そのため、装置本体には外部から冷却水を供給するためのホースが接続される連結部が設けられる。通常、この連結部は装置筐体の側面側や背面側の垂直壁面を貫通するように設置されている。
【０００４】
このように外部から冷却水を供給して装置本体内部を冷却する場合に、冷却性能を上げるには冷却水として常温の水でなく外部の冷却器で温度を下げた水（又は冷媒）を使用する必要がある。ところが、冷却水の温度を下げると、連結部を介して金属体であるその周囲の筐体の壁面自体の温度が下がり、装置本体の内部で結露が発生して水滴が付着するおそれがある。こうして発生した水は装置本体内に配設される管路の外面を伝ってゆき、装置本体内の電気部品などが被水して、最悪の場合、装置が故障するおそれもある。
【０００５】
【特許文献１】特開平９−５４０４１号公報
【考案の開示】
【考案が解決しようとする課題】
【０００６】
本考案は上記課題に鑑みて成されたものであり、その目的とするところは、装置本体内の発熱部の冷却に伴う該装置本体内部への結露水の侵入を抑制することができる分析装置を提供することである。なお、本考案に係る分析装置は、ＩＣＰ発光分析装置以外にも、外部から供給される冷却液により装置本体内部を冷却する分析装置一般に利用することができる。
【課題を解決するための手段】
【０００７】
上記課題を解決するために成された本考案は、装置本体内部に発熱部を有し、該装置本体外部からホースを通して供給する冷却液により前記発熱部を冷却する分析装置において、
装置外部のホースと装置本体内部に配設される管路とを連結する連結部と、該連結部を保持する保持部と、を備え、前記保持部は装置本体の筐体の立壁面よりも外方に突出して設けられ、且つ、前記保持部による前記連結部の保持個所が該連結部に連結される前記管路が前記立壁面を貫通する個所よりも低い位置とされていることを特徴としている。
【考案の効果】
【０００８】
本考案に係る分析装置では、ホース及び管路中を流れる冷却液により連結部を介して保持部の温度が下がり、結露によって保持部に水滴が付着した場合でも、その水が管路外面を伝って装置本体側に流れることはない。また、保持部に結露した水が下方に滴下しても装置本体の筐体の外側であるので装置本体内部には侵入しない。これにより、装置本体内部への結露水の流入を回避することができ、装置本体内部の各種部品の被水を防止することができる。
【０００９】
本考案の一実施態様としては、前記保持部は前記連結部を略直交する方向に保持する板状部を含み、該保持部は前記筐体の立壁面に対し前記板状部が外方に倒れ込む方向に傾斜するように固定されている構成とすることができる。
【００１０】
これによれば、簡単な構成で以て、保持部を装置本体の筐体の立壁面よりも外方に突出して設け、且つ、保持部による連結部の保持個所が管路の立壁面の貫通個所よりも低い位置となるようにすることができる。また、板状部に結露した水を該板状部を伝って下方に流下させ、その下端から下方に確実に滴下させることができる。
【００１１】
なお、保持部の下方に液受け槽をさらに備える構成とすれば、上述のように滴下した結露水を回収して周囲を濡らしたり周囲に拡がったりすることを防止することができる。
【考案を実施するための最良の形態】
【００１２】
以下、本考案に係る分析装置の一実施例であるＩＣＰ発光分析装置を図１、図２を参照して説明する。図１は本実施例のＩＣＰ発光分析装置の概略図、図２は図１中の配管接続部３の詳細図である。
【００１３】
このＩＣＰ発光分析装置は、装置本体の筐体１の内部に、プラズマトーチや分光器、光検出器などを含む分析光学系２を有しており、この分析光学系２の温度を下げるために、外部に設置された冷却器（図示しない）で冷却された水がホース４を通して筐体１の背面側から装置本体内部に供給されるようになっている。即ち、分析光学系２が本考案における発熱部に相当する。配管接続部３はこのホース４と内部配管１１とを接続する部分であって、冷却水以外に、例えばプラズマトーチに使用されるアルゴンガスなどの各種ガス供給ホースの接続部も兼ねているが、ここでは特に冷却水について着目して説明する。
【００１４】
図２に示すように、その内部でホース４と内部配管１１とを接続する本考案における連結部としてのジョイント１２はジョイントブロック１３に螺着され、ジョイントブロック１３はナット１４によりジョイントホルダ１０の取付板部１０ａを挟み込むように固定されている。このジョイントホルダ１０が本考案における保持部に相当する。ナット１４と筐体１の後面板１ａとの間の内部配管１１の外側は断熱材１５で被覆されており、さらに筐体１の内部でも結露防止のために発熱部近傍まで配管１１は断熱材で被覆されている。後面板１ａには内部配管１１を貫通させるためにその内部配管１１の外径よりも一回り大きな内径の配管挿通穴１ｂが形成されているが、ここでは内部配管１１は固定されていない。したがって、ホース４及び内部配管１１の固定（保持）個所はジョイントホルダ１０のみである。
【００１５】
このジョイントホルダ１０は上面から見た形状が略Ｌ字状の板状部材であり、図示しないボルト等により、取付板部１０ａが筐体１の後面板１ａから外方に所定距離離間するようにして強固に固定されている。この際に、取付板部１０ａは直立している後面板１ａと平行ではなく、外方に倒れ込む方向に傾斜するようにされており、それによって、ジョイントブロック１３とナット１４とによるジョイントホルダ１０への固定個所は、内部配管１１が貫通する配管挿通穴１ｂよりも低い位置になっていて、その間の内部配管１１も装置本体の外方に向かって（後面板１ａからジョイントホルダ１０へ向かって）下傾斜になっている。図２中に示した傾斜角度θは例えば２〜３°程度としておけばよい。さらに、この取付板部１０ａの下方には上面が開口した水受け槽１６が配置されている。
【００１６】
上記構成において、ホース４に外部から冷却水が流されると、この冷却水はジョイント１２を経て内部配管１１から分析光学系２に供給される。この際に、冷却水からの熱伝導によりジョイント１２、ジョイントブロック１３、ナット１４は温度が下がり、ジョイントホルダ１０、特に取付板部１０ａも冷たくなる。そのため、これら部材の周囲には結露による水滴が付着する。上述したように後面板１ａとジョイントホルダ１０の取付板部１０ａとの間において内部配管１１は外方に向かって下傾斜しているので、結露により生じた水は装置本体側には流れず、主としてジョイントホルダ１０の取付板部１０ａを伝って下に流れ、その下端から滴下して水受け槽１６に落ちる。このようにして結露水は水受け槽１６に回収されるため、装置本体内部に結露水が流れ込むことを防止することができる。
【００１７】
なお、ジョイント１２の形状や種類は特に限定されるものではない。また、ジョイントホルダ１０に装着するジョイントブロック１３の数も特に問わない。また、冷却水でなく冷媒等を供給するものでも同様である。また、上記実施例はＩＣＰ発光分析装置に本考案を適用した例であるが、装置本体に何らかの発熱部を有し、この発熱部を冷却するために外部から冷却水や冷媒などを送給する必要があるような各種の分析装置に適用することができる。
【００１８】
また、それ以外の点においても本考案の趣旨の範囲で適宜変更や修正を行うことができることは明らかである。
【図面の簡単な説明】
【００１９】
【図１】本考案の一実施例であるＩＣＰ発光分析装置の概略図。
【図２】図１中の配管接続部の詳細図。
【符号の説明】
【００２０】
１…筐体
１ａ…後面板
１ｂ…配管挿通穴
２…分析光学系
３…配管接続部
４…ホース
１０…ジョイントホルダ
１０ａ…取付板部
１１…内部配管
１２…ジョイント
１３…ジョイントブロック
１４…ナット
１５…断熱材
１６…水受け槽
【図１】
0003119224.tif 000003
【図２】
0003119224.tif 000004